(57)【特許請求の範囲】
【請求項１】
磁気吸引力を発生する磁石装置を内蔵する２以上の歯冠を直接又は連結歯を介して連結してなる義歯部と，上記磁石装置をそれぞれ吸着させるために支台上に設置したキーパーとからなる磁石式架橋義歯において，
上記キーパーは，凸形状の凸部を有すると共に該凸部の上面に被吸着面を有し，
上記義歯部における上記磁石装置は，永久磁石を内蔵してなると共に，吸着面を有する磁石構造体と，該磁石構造体の側周面に配設された筒状形状の非磁性材料よりなる非磁性ガイドリング部とを有し，
上記非磁性ガイドリング部における内周面は，上記凹部の先端に行くに従って外側に拡大した傾斜面を有し，上記キーパーにおける外周面は，上記凸部の先端に行くに従って内側に小さくなった傾斜面を有しており，
上記義歯部は，上記磁石装置の上記吸着面を上記キーパーの上記被吸着面に吸着すると共に，上記非磁性ガイドリング部と上記吸着面とによって形成された凹部を，上記キーパーの上記凸部と嵌め合わせて上記キーパーに取り付けるよう構成されていることを特徴とする磁石式架橋義歯。
【請求項２】
請求項１において，上記支台は，歯根に配設した根面板よりなり，上記キーパーは，該根面板に接合してなることを特徴とする磁石式架橋義歯。
【請求項３】
請求項１において，上記支台は，顎骨に固定したインプラントよりなり，上記キーパーは，該インプラントに設置してなることを特徴とする磁石式架橋義歯。
【請求項４】
請求項１〜３のいずれか一項において，上記磁石構造体は，底部と側壁部とにより磁石挿入部を形成してなるヨークと，該ヨークの上記磁石挿入部に挿入した上記永久磁石と，該永久磁石に被せられ上記吸着面の少なくとも一部を構成する軟磁性シールド板とを有しており，
上記非磁性ガイドリング部は上記ヨークに溶接接合されており，また，上記軟磁性シールド板と上記ヨークとの間は，非磁性のシール材によりシールされていることを特徴とする磁石式架橋義歯。
【請求項５】
請求項１〜４のいずれか一項において，上記非磁性ガイドリング部は，その外周面に溝又は突起を有していることを特徴とする磁石式架橋義歯。
【発明の詳細な説明】
【０００１】
【技術分野】
本発明は，２以上の歯冠を直接又は連結歯を介して連結してなる義歯部を，磁気吸引力により，支台上に設置したキーパーに吸着させてなる磁石式架橋義歯に関する。
【０００２】
【従来技術】
従来より，２以上の歯冠を連結して構成した義歯部を口内に着脱可能に配設することができる可撤性の架橋義歯が種々開発されている。
例えば，図１１に示すごとく，凸形状の凸部９３１を有する内冠９３と，上記凸部９３１に嵌合する凹部９２１を有する義歯部９１とから構成したコーヌス冠構造の架橋義歯９がある。
この架橋義歯９においては，上記凹部９２１の内周面９２２は，その先端に行くに従って外側に拡大した傾斜面を有し，上記凸部９３１の外周面９３２は，その先端に行くに従って内側に小さくなった傾斜面を有している。そして，この架橋義歯９は，凹部９２１を外側に弾性的に変形させ，天然歯９５１に設置した内冠９３の凸部９３１に嵌合させて，口内９５に着脱可能に取り付けられる（従来技術１）。
【０００３】
また，図１２に示すごとく，上記内層部９２における凹部９２１の内周面９２２と上記内冠９３における凸部９３１の外周面９３２とを，それぞれ取付方向に平行な面としたテレスコープ冠構造の架橋義歯９もある。この架橋義歯９は，上記凹部９２１と凸部９３１との間の間隙９４１に発生する摩擦抵抗を利用して，口内９５に着脱可能に取り付けられる（従来技術２）。
【０００４】
また，図１３に示すごとく，永久磁石９４２を設置した義歯部９１と，永久磁石９４２を吸着させるキーパー９３３を設置した支台９３０とから構成した磁石式の架橋義歯９がある。この磁石式の架橋義歯９の義歯部９１においては，その内層部９２に凹部９２１を形成すると共に，該凹部９２１に形成した磁石配置部９２３に上記永久磁石９４２を配置している。また，上記支台９３０は，上記凹部９２１の内周面９２２の形状に沿った外周面９３２を有する凸部９３１を有している。
そして，この磁石式の架橋義歯９は，凹部９２１を凸部９３１に嵌め合わせると共に，永久磁石９４２をキーパー９３３に吸着させ，その磁気吸引力により口内９５に着脱可能に取り付けられる（従来技術３）。
【０００５】
また，上記従来技術１〜３における架橋義歯９は，以下のようにして技工操作を行って製作している。
即ち，まず，上記内冠９３又は支台９３０と，上記義歯部９１とを順次手作業にて製作し（支台・義歯部製作工程），上記内冠９３又は支台９３０を口内９５の天然歯９５１に設置する。
【０００６】
そして，口内９５に設置した内冠９３又は支台９３０における凸部９３１と，上記義歯部９１における凹部９２１との嵌め合い状態を手作業で調整する（調整工程）。
また，従来技術３においては，上記調整工程を行った後に，義歯部９１の磁石配置部９２３に上記永久磁石９４２をレジンによって合着し（合着工程），場合によっては，上記凸部９３１と上記凹部９２１との嵌め合い状態を再度手作業で調整する（再調整工程）。
【０００７】
【解決しようとする課題】
しかしながら，上記従来技術１〜３の架橋義歯においては，いずれも上記調整工程においては，手作業で上記嵌め合い状態を調整する作業時間が多くかかり，上記凹部９２１と凸部９３１との間の隙間９４１，表面性状等にバラツキが生じる。そのため，この手作業による調整が失敗した場合には，上記内冠９３又は支台９３０，義歯部９１を再度製作して上記各工程をやり直す必要がある。それ故，上記架橋義歯９の製作に多大な時間を費やしている。
このことは，１本の歯冠からなる義歯においても生じる問題点であるが，２以上の歯冠９１０を連結する義歯部９１と内冠９３又は支台９３０とからなる上記架橋義歯９においては，特に顕著な問題点となっている。
【０００８】
また，上記従来技術３においては，上記永久磁石９４２をレジンによって合着するため，永久磁石９４２と磁石配置部９２３との間の隙間９２０は，レジンを配置できるように若干大きく取られている。そして，上記合着工程における合着時にレジンが流動性を有するため，永久磁石９４２が横方向にずれて，永久磁石による吸着力が低下する場合がある。それ故，磁石式の架橋義歯９の製作を困難にしている。
【０００９】
本発明は，かかる従来の問題点に鑑みてなされたもので，短時間で製作ができると共に安定した吸着力を有し，かつ耐久性に優れる磁石式架橋義歯を提供しようとするものである。
【００１０】
【課題の解決手段】
請求項１に記載の発明は，磁気吸引力を発生する磁石装置を内蔵する２以上の歯冠を直接又は連結歯を介して連結してなる義歯部と，上記磁石装置をそれぞれ吸着させるために支台上に設置したキーパーとからなる磁石式架橋義歯において，
上記キーパーは，凸形状の凸部を有すると共に該凸部の上面に被吸着面を有し，
上記義歯部における上記磁石装置は，永久磁石を内蔵してなると共に，吸着面を有する磁石構造体と，該磁石構造体の側周面に配設された筒状形状の非磁性材料よりなる非磁性ガイドリング部とを有し，
上記非磁性ガイドリング部における内周面は，上記凹部の先端に行くに従って外側に拡大した傾斜面を有し，上記キーパーにおける外周面は，上記凸部の先端に行くに従って内側に小さくなった傾斜面を有しており，
上記義歯部は，上記磁石装置の上記吸着面を上記キーパーの上記被吸着面に吸着すると共に，上記非磁性ガイドリング部と上記吸着面とによって形成された凹部を，上記キーパーの上記凸部と嵌め合わせて上記キーパーに取り付けるよう構成されていることを特徴とする磁石式架橋義歯にある。
【００１１】
本発明において最も注目すべきことは，上記磁石装置は，上記永久磁石を有する磁石構造体と非磁性ガイドリング部とを有し，上記義歯部は，上記磁石装置の上記吸着面を上記キーパーの上記被吸着面に吸着すると共に，上記吸着面と上記非磁性ガイドリング部とによる上記凹部を上記キーパーの上記凸部と嵌め合わせて上記キーパーに取り付けるよう構成されていることである。
【００１２】
次に，本発明の作用効果につき説明する。
上記磁石式架橋義歯においては，上記凹部が上記磁石装置における非磁性ガイドリング部によって形成されており，上記凸部が上記キーパーに形成されている。そして，これら凹部と凸部とは，上記キーパーを口内に設置する前に，口外において予め機械加工により加工しておくことができる。
【００１３】
この機械加工により，磁石装置とキーパーとをそれぞれ単体で組み合わせたときにおける上記凹部と凸部との間の間隙を精度よく形成することができる。
そして，複数の磁石装置及びキーパーを配置した上記磁石式架橋義歯は，各単体の磁石装置の凹部とキーパーの凸部とを嵌め合わせて吸着させた状態で，即ち各単体の凹部及び凸部における上記間隙の精度を保った状態で，磁石装置を義歯部に合着して製作することができる。
【００１４】
そのため，磁石式架橋義歯を，複数の磁石装置と複数のキーパーとによる嵌め合わせにより，口内に取り付けたときにおいても，上記間隙の精度を保持することができる。そのため，上記支台に設置したキーパーを口内に配設した後，上記凹部の内周面と凸部の外周面との間の間隙に，手作業による嵌め合い状態の調整を行う必要がない。また，上記磁石装置を義歯部に合着した後においても，上記手作業による嵌め合い状態の調整を簡単に行うことができる。それ故，上記磁石式架橋義歯は，短時間で製作することができる。
【００１５】
また，上記磁石式架橋義歯は，上記のごとく，上記間隙の精度を保った状態で製作することができるため，上記磁石装置とキーパーとを容易に正規の位置に正対させることができる。そのため，上記磁石式架橋義歯は，安定した吸着力を発生させることができる。
また，上記磁石式架橋義歯においては，上記義歯部を取り付ける方向である縦方向の外力に耐える力である維持力が上記磁石装置の磁気吸引力にのみ依存している。そのため，磁石式架橋義歯は，長期間の使用によっても，上記凹部及び凸部にほとんど摩耗を生じることがない。それ故，上記磁石式架橋義歯は耐久性に優れている。
【００１６】
また，上記非磁性ガイドリング部は，非磁性材料よりなる。そのため，非磁性ガイドリング部の内周面には，上記磁石装置による磁気回路が形成されない。
そのため，上記磁石装置を有する義歯部を上記キーパーとの間で着脱する際に，非磁性ガイドリング部の内周面が上記キーパーの凸部に吸着してしまうことがない。それ故，上記磁石式架橋義歯は，上記義歯部を上記キーパーに対して容易に着脱することができ，可撤性の架橋義歯を容易に構成することができる。
【００１７】
以上，本発明によれば，短時間で製作ができると共に安定した吸着力を有し，かつ耐久性に優れる磁石式架橋義歯を提供することができる。
【００１８】
次に，上記非磁性ガイドリング部における内周面は，上記凹部の先端に行くに従って外側に拡大した傾斜面を有し，上記キーパーにおける外周面は，上記凸部の先端に行くに従って内側に小さくなった傾斜面を有している。
これにより，上記義歯部は，上記キーパーに対面する方向に対して若干傾けた状態でも着脱することができる。そのため，上記義歯部の着脱が一層容易になる。
【００１９】
次に，請求項２に記載の発明のように，上記支台は，歯根に配設した根面板よりなり，上記キーパーは，該根面板に接合してなることが好ましい。
これにより，上記義歯部を取り付ける患者の歯根が健全であるとき，上記支台は，上記歯根に配設する根面板により形成することができる。
また，上記歯根への根面板の配設は，例えば，歯科用セメント等の接着剤を用いて行うことができる。この場合，容易に上記配設を行うことができる。
また，上記根面板へのキーパーの接合は，例えば，鋳接，溶接又は接着等により行うことができる。この場合，容易に上記接合を行うことができる。
【００２０】
次に，請求項３に記載の発明のように，上記支台は，顎骨に固定したインプラントよりなり，上記キーパーは，該インプラントに設置してなることもできる。
これにより，上記義歯部を取り付ける者の歯根がない場合，あるいは，歯根はあるが上記のような根面板を配設可能でない場合，上記支台は，顎骨に固定する上記インプラントにより形成することができる。
【００２１】
また，インプラントは，接着剤を用いて上記顎骨に固定できる他，ネジ構造を有していることにより上記顎骨に螺合することもできる。
また，上記キーパーは，鋳接，溶接又は接着のいずれかによってインプラントに固定することができる他，ネジ等の固定具によってもインプラントに固定することができる。
【００２２】
次に，請求項４に記載の発明のように，上記磁石構造体は，底部と側壁部とにより磁石挿入部を形成してなるヨークと，該ヨークの上記磁石挿入部に挿入した上記永久磁石と，該永久磁石に被せられ上記吸着面の少なくとも一部を構成する軟磁性シールド板とを有しており，上記非磁性ガイドリング部は上記ヨークに溶接接合されており，また，上記軟磁性シールド板と上記ヨークとの間は，非磁性のシール材によりシールされていることが好ましい。
【００２３】
上記のごとく，上記磁石式架橋義歯における磁石構造体は，上記軟磁性シールド板と上記ヨークとの間が，非磁性のシール材によりシールされている。そのため，上記永久磁石の吸着面側から軟磁性シールド板，キーパー，ヨークの側壁部及びヨークの底部を通って，永久磁石の吸着面とは反対側に循環する磁気のループを形成することができる。これにより，上記磁石式架橋義歯は，強力な磁気吸引力を容易に発生させることができる。
【００２４】
また，上記非磁性ガイドリング部は，上記ヨークに溶接接合することにより，上記磁石構造体と一体化されて，容易に強固な上記磁石装置を形成することができる。
【００２５】
次に，請求項５に記載の発明のように，上記非磁性ガイドリング部は，その外周面に溝又は突起を有していることが好ましい。
これにより，上記磁石装置を上記歯冠に取り付けた後，上記磁石装置と上記歯冠との接合性を向上させることができ，歯冠から磁石装置が離脱してしまうことを防止することができる。
【００２６】
【発明の実施の形態】
実施形態例１
本発明の実施形態例にかかる磁石式架橋義歯につき，図１〜図６を用いて説明する。
図１，図２に示すごとく，本例における磁石式架橋義歯１は，磁気吸引力を発生する磁石装置４を内蔵する２以上の歯冠２５を連結歯２６を介して連結してなる義歯部２と，上記磁石装置４をそれぞれ吸着させるために支台３上に設置したキーパー３１とからなる。
また，上記キーパー３１は，凸形状の凸部３１１を有すると共に該凸部３１１の上面に被吸着面３１２を有している。
【００２７】
上記義歯部２における上記磁石装置４は，永久磁石４１を内蔵してなると共に吸着面４４１を有する磁石構造体４０と，該磁石構造体４０の側周面４０１に配設された非磁性ガイドリング部４３とを有している。
上記義歯部２は，上記磁石装置４の上記吸着面４４１を上記キーパー３１の上記被吸着面３１２に吸着すると共に，上記非磁性ガイドリング部４３と上記吸着面４４１とによって形成された凹部４７を，上記キーパー３１の上記凸部３１１と嵌合して上記キーパー３１に取り付けるよう構成されている。
このようにして，上記磁石式架橋義歯１は，上記義歯部２と上記キーパー３１とを着脱自在に取り付けてなる可撤性の架橋義歯を構成する。
なお，上記義歯部２は，上記歯冠２５を直接連結して構成されていてもよい。
【００２８】
以下に，これを詳説する。
本例における上記支台３は，歯根５１に配設した根面板３２よりなり，上記キーパー３１は，根面板３２に接合してなる（図５（ａ）参照）。
図３（ａ）に示すごとく，上記磁石構造体４０は，底部４２１と側壁部４２２とにより磁石挿入部４２３を形成してなると共に軟磁性の材料よりなるヨーク４２と，該ヨーク４２の上記磁石挿入部４２３に挿入した上記永久磁石４１と，該永久磁石４１に被せられ上記吸着面４４１を構成する軟磁性シールド板４４とを有している。
また，上記非磁性ガイドリング部４３は上記ヨーク４２に非磁性の溶接材料４５により溶接接合されており，また，上記軟磁性シールド板４４と上記ヨーク４２の側壁部４２２との間は，非磁性のシール材４６を配置することによりシールされている。
【００２９】
また，上記非磁性ガイドリング部４３は，その外周面４３１に，上記磁石装置４と上記歯冠２５（図１参照）との接合性を向上させるための溝４３２を有している。つまり，上記磁石装置４は，上記溝４３２に接着性のレジン２２２が入っており，上記歯冠２５に形成された挿入凹部２２１（図６（ａ）参照）から離脱することを防止されている。
【００３０】
また，上記非磁性ガイドリング部４３における上記キーパー３１と接する内周面４３４は，上記凹部４７の先端に行くに従って外側に拡大した傾斜面状に形成されており，上記キーパー３１は，上記凸部３１１の外周面３１３は，該凸部３１１の先端に行くに従って内側に小さくなった傾斜面状に形成されている。
【００３１】
図３（ｂ）に示すごとく，上記キーパー３１は，軟磁性の材料よりなり，上記凸部３１１と該凸部３１１の下方において拡径した段部３１４とからなる段差付きの構造を有している。上記凸部３１１は，その外周面３１３が上記非磁性ガイドリング部４３の内周面４３４に対向すると共に，その上面の被吸着面３１２が上記磁石装置４の吸着面４４１に対面する。
【００３２】
図４に示すごとく，上記磁石構造体４０における永久磁石４１は，上記キーパー３１と対面する厚み方向にＮ−Ｓ極が伸びている。
また，上記磁石構造体４０は円盤状の形状を有しており，上記被磁性ガイドリング部４３は筒状の形状を有している。また，上記キーパー３１は，円柱状の形状を有しており，段差付きの台形状に形成されている。
また，上記磁石式架橋義歯１において，上記永久磁石４１によって，磁気のループ４０２が形成される箇所，即ち，軟磁性シールド板４４，キーパー３１，ヨーク４２は軟磁性の材料からなる。
【００３３】
そして，上記磁石構造体４０は，磁気吸引力によって，着脱自在に上記支台３に吸着させることができる。つまり，上記義歯部２は，上記磁石装置４と上記キーパー３１とを吸着させることにより，支台３に取り付けられ，上記磁石装置４と上記キーパー３１との吸着を解除することにより，支台３から取り外されることができる。
【００３４】
そして，同図に示すごとく，上記磁石装置４を上記キーパー３１に吸着した際には，上記磁石装置４と上記キーパー３１とにより，それらを循環する磁気のループ４０２が形成される。この磁気のループ４０２は，Ｎ極である永久磁石４１の吸着面４４１からキーパー３１及びヨーク４２の側壁部４２２及び底部４２１を通って，上記底部４２１に対面する面であると共に永久磁石４１のＳ極である底面４１１に向けて循環する。そして，この磁気のループ４０２によって，磁石装置４がキーパー３１に吸着する磁気吸引力を発生させることができる。
なお，上記磁石装置４のＮ−Ｓ極は，吸着面４４１側をＳ極，底面４１１側をＮ極として構成することもできる。この場合には，上記磁気のループ４０２は，逆方向に循環することになる。
【００３５】
また，図１，図２に示すごとく，本例における義歯部２は，別名をブリッジとも言い，少数の欠損歯，即ち天然歯が抜けてなくなった部分を補充する連結歯列よりなる。
上記義歯部２における上記歯冠２５は，外層部２１，内層部２２及び磁石装置４より構成されている。また，義歯部２における上記連結歯２６は，外層部２１及び内層部２２よりなる。
【００３６】
上記外層部２１は，硬質のレジン又はハイブリットセラミックスからできており，内層部２２は，金属からできている。また，内層部２２は，それぞれ隣接する歯冠２５と連結歯２６とを連結するフレーム構造を有しており，歯冠２５と連結歯２６とを連結している。
【００３７】
なお，上記内層部２２は，上記歯冠２５同士又は上記連結歯２６同士を連結していてもよく，また，上記歯冠２５に対して上記連結歯２６とは反対側に位置する隣接歯として，上記磁石装置４を有しない上記連結歯２６があってもよい。
また，本例においては，２つの磁石装置４及び２つのキーパー３１は，それぞれ同じサイズのものを用いているが，これに対し，歯冠２５のサイズに合わせて異なるサイズのものを用いてもよい。
【００３８】
上記歯冠２５は，口内５の顎骨５３から生えている歯根５１を有する部分に設けており，歯根５１がない部分には，口内５の歯肉５２の上に連結歯２６を設けている。
上記支台３は，天然の歯髄を取り除いた歯根５１に配設した根面板３２よりなり，上記キーパー３１は，この根面板３２に接合してなる。
【００３９】
次に，上記磁石式架橋義歯１を製作する方法につき説明する。
まずは，図５（ａ）に示すごとく，上記キーパー３１及び根面板３２を設置する歯の歯根５１における歯髄を取り除く。
次いで，上記歯髄を取り除いた歯根５１の内面５１１の型を取り，該型と同等の形状を有する上記支台３である根面板３２を，その上部にキーパー３１を鋳接して製作する。
【００４０】
次いで，図５（ｂ）に示すごとく，上記キーパー３１を鋳接した根面板３２を，歯科用セメントである接着剤により，上記歯根５１の歯髄を取り除いた歯根５１の内面５１１に固定する。
次いで，図６（ｂ）に示すごとく，上記支台３上に設置されたキーパー３１に，上記磁石構造体４０及び非磁性ガイドリング部４３からなる磁石装置４を吸着させる。
【００４１】
次に，図６（ａ）に示すごとく，上記歯冠２５及び連結歯２６からなる義歯部本体２０を，上記キーパー３１を鋳接した根面板３２に合わせて形成する。このとき，歯冠２５には，上記磁石装置４が入る挿入凹部２２１を設けておき，該挿入凹部２２１には，貫通穴であるとん路２２３を設けておく。
【００４２】
そして，図６（ａ），（ｂ）に示すごとく，上記磁石装置４における非磁性ガイドリング部４３の外周面４３１又は上記歯冠２５の挿入凹部２２１の少なくともいずれか一方に接着性のレジン２２２を塗布し，上記磁石装置４を上記挿入凹部２２１に固定させる。このとき，余剰の接着性レジン２２２は，上記とん路２２３から外に逃すことができる。また，この外に逃した余剰のレジンを拭き取る。
こうして，上記義歯部２と上記支台３とからなる磁石式架橋義歯１を製作する。
【００４３】
次に，本例の作用効果につき説明する。
上記磁石式架橋義歯１においては，上記凹部４７が上記磁石装置４における非磁性ガイドリング部４３によって形成されており，上記凸部３１１が上記キーパー３１に形成されている。そして，これら凹部４７と凸部３１１とは，上記キーパー３１を口内５に設置する前に，口外において予め機械加工により加工しておくことができる。
【００４４】
この機械加工により，磁石装置４とキーパー３１とをそれぞれ単体で組み合わせたときにおける上記凹部４７の内周面４３４と凸部３１１の外周面３１３との間の間隙３０を精度よく形成することができる。
そして，複数の磁石装置４及びキーパー３１を配置した上記磁石式架橋義歯１は，各単体の磁石装置２の凹部４７とキーパー３１の凸部３１１とを嵌め合わせて吸着させた状態で，即ち各単体における上記間隙３０の精度を保った状態で，磁石装置４を義歯部２に合着して製作することができる。
【００４５】
そのため，磁石式架橋義歯１を，複数の磁石装置２と複数のキーパー３１とによる嵌め合わせにより，口内５に取り付けたときにおいても，上記間隙３０の精度を保持することができる。そのため，上記支台３に設置したキーパー３１を口内５に配設した後，上記間隙３０に，手作業による嵌め合い状態の調整を行う必要がない。また，上記磁石装置４を義歯部２に合着した後においても，上記手作業による嵌め合い状態の調整が簡単なため，上記磁石式架橋義歯１は，短時間で製作することができる。
【００４６】
また，上記磁石式架橋義歯１は，上記のごとく，上記間隙３０の精度を保った状態で製作することができるため，上記磁石装置４とキーパー３１とを容易に正規の位置に正対させることができる。そのため，上記磁石式架橋義歯１は，安定した吸着力を発生させることができる。
また，上記磁石式架橋義歯１においては，上記義歯部２を取り付ける方向である縦方向の外力に耐える力である維持力が上記磁石装置４の磁気吸引力にのみ依存している。そのため，磁石式架橋義歯１は，長期間の使用によっても，上記間隙３０にほとんど摩耗を生じることがない。それ故，上記磁石式架橋義歯１は耐久性に優れている。
【００４７】
上記非磁性ガイドリング部４３の内周面４３４及び上記キーパー３１の凸部３１における外周面３１３は互いに対向する傾斜面状に形成されている。そのため，上記義歯部２は，上記キーパー３１に対面する方向に対して若干傾けた状態でも着脱することができる。そのため，上記義歯部２の着脱が容易になる。
【００４８】
また，上記非磁性ガイドリング部４３は，非磁性材料よりなる。そのため，非磁性ガイドリング部４３の内周面４３４には，上記磁石装置４による磁気回路が形成されない。
そのため，上記磁石装置４を有する義歯部２を上記キーパー３１との間で着脱する際に，非磁性ガイドリング部４３の内周面４３４が上記キーパー３１の凸部３１１に吸着してしまうことがない。それ故，上記磁石式架橋義歯１は，上記義歯部２を上記キーパー３１に対して一層容易に着脱することができる。
【００４９】
図４に示すごとく，上記磁石式架橋義歯１は，上記軟磁性シールド板４４と上記ヨーク４２との間が，非磁性のシール材４６によりシールされている。そのため，Ｎ極である上記永久磁石４１の吸着面４４１側から軟磁性シールド板４４，キーパー３１，ヨーク４２の側壁部４２２及びヨーク４２の底部４２１を通って，Ｓ極である永久磁石４１の吸着面４４１とは反対側の底面４１１に循環する複数の磁気のループ４０２を形成することができる。また，この磁気のループ４０２は，上記円盤状の永久磁石４１の円周上に沿って複数形成される。
これにより，上記磁石式架橋義歯１は，強力な磁気吸引力を発生させることができる。
【００５０】
また，上記非磁性ガイドリング部４３は，上記ヨーク４２に溶接接合することにより，上記磁石構造体４０と一体化されて，容易に強固な上記磁石装置４を形成することができる。
【００５１】
また，上記非磁性ガイドリング部４３は，その外周面４３１に，上記磁石装置４と上記歯冠２５との接合性を向上させるための溝４３２を有している。そのため，上記磁石装置４を上記歯冠２５に取り付けた後，該歯冠２５からその磁石装置４が離脱してしまうことを防止することができる。
【００５２】
実施形態例２
図７（ａ），（ｂ）に示すごとく，本例における磁石式架橋義歯１は，上記磁石装置４を内蔵する２以上の歯冠２５を連結歯２６を介して連結してなる。また上記歯冠２５及び連結歯２６は，上記内層部２２を有しておらず上記外層部２１によって構成されており，上記キーパー３１は，支台３である根面板３２上にレーザ溶接にて設置している。その他は上記実施形態例１と同様である。
【００５３】
なお，上記義歯部２は，上記歯冠２５を直接連結して構成されていてもよい。
本例のように上記歯冠２５および連結歯２６は，外層部２１によってのみ構成することもできる。本例においても，上記実施形態例１と同様の作用効果を得ることができる。
【００５４】
実施形態例３
図８に示すごとく，本例における磁石式架橋義歯１は，上記磁石装置４を内蔵する２以上の歯冠２５を連結歯２６を介して連結してなる義歯部２と，上記磁石装置４をそれぞれ吸着させるために支台３である根面板３２上に設置したキーパー３１とからなると共に，上記義歯部２を口内５の上顎又は下顎の歯列の全体に使用してなる。
本例における義歯部２の構造をフルブリッジの構造と言い，上記内層部２２は，すべての歯冠２５又は連結歯２６を連結している。
また，上記磁石装置４は，左側の歯列と右側の歯列の両方にそれぞれ２箇所づつ設けてある。その他は上記実施形態例１と同様である。
【００５５】
本例の磁石式架橋義歯１は，口内５に天然の歯冠が残っていない場合に有効である。この場合，健全な天然の歯冠が一本もなくても，上記磁石式架橋義歯１を構成することができる。
その他，上記実施形態例１と同様の作用効果を得ることができる。
【００５６】
実施形態例４
図９に示すごとく，本例における磁石式架橋義歯１は，上記磁石装置４を内蔵する２以上の歯冠２５を連結歯２６を介して連結してなる義歯部２と，支台３であるインプラント３３に設置したキーパー３１とよりなる。
上記インプラント３３はネジ構造を有しており，上記顎骨５３に螺合して固定されている。また，上記キーパー３１は，ネジである固定具３４によって，インプラント３３に固定されている。
その他は上記実施形態例１と同様である。
【００５７】
本例においては，上記義歯部２を取り付ける者の歯根５１がない場合，あるいは，歯根５１はあるが上記のような根面板３２を配設可能でない場合，上記支台３は，顎骨５３に固定する上記インプラント３３により形成することができる。
その他，上記実施形態例１と同様の作用効果を得ることができる。
【００５８】
実施形態例５
図１０（ａ），（ｂ）に示すごとく，本例における磁石式架橋義歯１は，上記永久磁石４１が上記ヨーク４２に両側部から挟まれたサンドイッチ構造を有していると共に，磁石構造体４０の磁気回路が上記キーパー３１と対面する厚み方向とは直角の方向である直角方向にＮ−Ｓ極が伸びている。
また，磁石構造体４０は，永久磁石４１における上記直角方向の外周には，非磁性のシールドケース４８が被せられており，永久磁石４１と上記キーパー３１の被吸着面３１２との間から磁気が漏れないようになっている。
また，本例における上記非磁性ガイドリング部４３は，上記溝４３２を有している代わりに，突起４３５を有しており，該突起４３５により離脱が防止されている。その他は上記実施形態例１と同様である。
【００５９】
図１０（ｂ）に示すごとく，上記磁石装置４を上記キーパー３１に吸着した際には，上記磁石装置４と上記キーパー３１とにより，それらを循環する磁気のループ４０２が形成される。この磁気のループ４０２は，Ｎ極である永久磁石４１の片側の側面４１５から，ヨーク４２及びキーパー３１を通って，上記永久磁石４１のＳ極である反対側の側面４１５に向けて循環する。そして，この磁気のループ４０２によって，磁気吸引力を発生させることができる。
上記磁石式架橋義歯１は，本例のようなサンドイッチ構造によっても，上記実施形態例１と同様の作用効果を得ることができる。
【００６０】
実施形態例６
本例においては，上記磁石式架橋義歯１と，従来のコーヌス冠構造の架橋義歯，テレスコープ冠構造の架橋義歯及び磁石式の架橋義歯について，維持力，把持力，操作性，寿命及び技工操作の各性能の試験及び評価を行った。
ここで，上記維持力は，上記義歯部を取り付ける方向である縦方向の外力に耐える力のことを言い，上記把持力は，上記縦方向とは直角の横方向の外力に耐える力のことを言い，上記操作性は，義歯部の着脱容易性を示す。
【００６１】
発明品１
上記義歯部２の構造は，２本の上記歯冠２５の間に上記連結歯２６を連結する構造である。
上記磁石装置４は，上記歯冠２５にそれぞれ有しており，外径Ｄ１がφ５ｍｍ，全体の高さＨ１が２．３ｍｍで，吸着面４４１の外径Ｄ２がφ４ｍｍである。
上記義歯部２は，歯根５１に配設された根面板３２に鋳接されたキーパー３１に吸着させてなる。
上記磁石構造体４０のヨーク４２は，１９Ｃｒ−２Ｍｏ−０．２Ｔｉよりなる。
【００６２】
上記永久磁石４１は，Ｎｄ系の磁石よりなり，上記非磁性ガイドリング部４３は，ＳＵＳ３１６Ｌよりなると共にその外周面４３１に脱落防止用のアンダーカットを設けてなる。
上記キーパー３１は，上記凸部３１１が１９Ｃｒ−２Ｍｏ−０．２Ｔｉよりなり，上記段部３１４がＳＵＳ３１６Ｌよりなる。また，段部３１４の外径Ｄ３がφ５ｍｍで，被吸着面３１２の外径Ｄ４がφ４ｍｍであり，凸部３１１の高さＨ３が１ｍｍ，上記キーパー３１全体の高さＨ２は１．６ｍｍである。また，キーパー３１の凸部３１１及び段部３１４の表面には厚み1μｍの純金がコーティングしてある。
なお，上記２つの上記磁石装置４及び２つのキーパー３１は，それぞれ同じ材質，寸法を有する。実際には，歯によりスペース等が異なり，それらは互いに異なる寸法を有することがある。また，上記各部の寸法は，図３参照のこと。
【００６３】
発明品２
上記義歯部２の構造は，口内５の上顎又は下顎の歯列の全体に使用したフルブリッジの構造である。
上記磁石装置４は，左側の歯列と右側の歯列の両方にそれぞれ２箇所づつ設けており，外径Ｄ１がφ４ｍｍ，全体の高さＨ１が３．２ｍｍで，吸着面４４１の外径Ｄ２がφ３ｍｍである。
上記内層部２２は，すべての歯冠２５又は連結歯２６を連結している。
上記義歯部２は，歯根５１に配設された根面板３２に溶接されたキーパー３１に吸着させてなる。
上記磁石構造体４０のヨーク４２は，１７Ｃｒ−２Ｍｏ−０．２Ｔｉよりなる。
【００６４】
上記永久磁石４１は，Ｎｄ系の磁石よりなり，上記非磁性ガイドリング部４３は，ＳＵＳ３１６Ｌよりなると共にその外周面４３１に脱落防止用のレジンをコーティングしている。
上記キーパー３１は，上記凸部３１１が１７Ｃｒ−２Ｍｏ−０．２Ｔｉよりなり，上記段部３１４がＳＵＳ３１６Ｌよりなる。また，段部３１４の外径Ｄ３がφ４ｍｍで，被吸着面３１２の外径Ｄ４がφ３ｍｍであり，凸部３１１の高さＨ３が２ｍｍ，上記キーパー３１全体の高さＨ２は２．６ｍｍである。
なお，上記２つの上記磁石装置４及び２つのキーパー３１は，それぞれ同じ材質，寸法を有する。実際には，歯によりスペース等が異なり，それらは互いに異なる寸法を有することがある。また，上記各部の寸法は，図３参照のこと。
【００６５】
発明品３
上記義歯部２の構造は，２本の上記歯冠２５の間に上記連結歯２６を２本連結する構造である。
上記磁石装置４は，上記歯冠２５にそれぞれ有しており，外径Ｄ１がφ４ｍｍ，全体の高さＨ１が１．２ｍｍで，吸着面４４１の外径Ｄ２がφ３ｍｍである。
上記義歯部２は，顎骨５３に固定されたインプラント３３に固定具３４により固定された上記キーパー３１に吸着させてなる。
上記磁石構造体４０のヨーク４２は，１７Ｃｒ−２Ｍｏ−０．２Ｔｉよりなる。
【００６６】
上記永久磁石４１は，Ｎｄ系の磁石よりなり，上記非磁性ガイドリング部４３は，ＳＵＳ３１６Ｌよりなると共にその外周面４３１に脱落防止用のレジンをコーティングしている。
上記キーパー３１は，上記凸部３１１が１７Ｃｒ−２Ｍｏ−０．２Ｔｉよりなり，上記段部３１４がＳＵＳ３１６Ｌよりなる。また，段部３１４の外径Ｄ３がφ４ｍｍで，被吸着面３１２の外径Ｄ４がφ３ｍｍであり，凸部３１１の高さＨ３が０．２ｍｍ，上記キーパー３１全体の高さＨ２は０．８ｍｍである。
なお，上記２つの上記磁石装置４及び２つのキーパー３１は，それぞれ同じ材質，寸法を有する。実際には，歯によりスペース等が異なり，それらは互いに異なる寸法を有することがある。また，上記各部の寸法は，図３参照のこと。
【００６７】
比較品１
上記従来技術１に示したコーヌス冠構造の架橋義歯９である。
上記義歯部９１の構造は，２本の歯冠の間に連結歯を連結する構造である。
内層部９２の凹部９２１は，先端部の内径Ｄ５がφ５ｍｍ，底部の内径Ｄ６がφ４ｍｍ，高さＨ４が７ｍｍである。また，内冠９３は，凸部９３１の高さＨ５が６．５ｍｍであり，上記凹部９２１に嵌合する寸法を有している（図１１参照）。
なお，２つの凹部９２１及び２つの内冠９３は，それぞれ同じ寸法を有する。
【００６８】
比較品２
上記従来技術２に示したテレスコープ冠構造の架橋義歯９である。
上記義歯部９１の構造は，２本の歯冠の間に連結歯を連結する構造である。
内層部９２の凹部９２１は，先端部及び底部の内径Ｄ５が共にφ５ｍｍ，凹部９２１の高さＨ４が７ｍｍである。また，内冠９３は，凸部９３１の高さＨ５が６．５ｍｍ，凸部９３１の外径がＤ５と同じであり，茶筒効果を有して嵌め合う。（図１２参照）。
なお，２つの凹部及び２つの内冠は，それぞれ同じ寸法を有する。
【００６９】
比較品３
上記従来技術３に示した磁石式の架橋義歯である。
上記義歯部９１の構造は，２本の歯冠の間に連結歯を連結する構造である。
上記義歯部９１は，歯根９５１に配設された支台９３０に鋳接されたキーパー９３３に吸着させてなる。
【００７０】
上記永久磁石９４２は，Ｎｄ系の磁石よりなり，全体の外径がφ４．４ｍｍ，吸着面の外径がφ４ｍｍ，全体の高さが１．３ｍｍである。
上記キーパー３１は，１９Ｃｒ−２Ｍｏ−０．２Ｔｉよりなり，被吸着面の外径がφ４ｍｍ，全体の高さが０．８ｍｍである。
なお，上記２つの上記永久磁石９４２及び２つのキーパー３１は，それぞれ同じ材質，寸法を有する。
【００７１】
上記各性能の試験を行った結果及び評価を以下に示す。
ここで，上記把持力は，上記義歯部とキーパーとをそれらが横ズレする方向にスライドさせても，当該義歯部が外れない場合を○，外れてしまう場合を×として評価した。
また，操作性は，ワンタッチで特別な道具等を必要とすることなく着脱できる場合を○，所定の方向にしか着脱できず，該着脱が困難な場合を×として評価した。
【００７２】
また，寿命は，上記義歯部の取り外し可能回数を示しており，取り外し回数を５回／日×３年（約５０００回）としたときに，上記把持力の低下が１％未満の場合を○，それ以上の場合を×して評価した。
また，技工操作は，上記磁石式架橋義歯の製作時間が，１日未満の場合を○，それ以上（２日以上）の場合を×として評価した。
なお，上記維持力，把持力，操作性，寿命及び技工操作のすべてについて，各３セット試験を行った。
【００７３】
発明品１は，維持力がそれぞれ３セットとも１６Ｎ，把持力が○，操作性が○，寿命が○及び技工操作が○となった。
発明品２は，維持力がそれぞれ３セットとも１０Ｎ，把持力が○，操作性が○，寿命が○及び技工操作が○となった。
発明品３は，維持力がそれぞれ３セットとも１０Ｎ，把持力が○，操作性が○，寿命が○及び技工操作が○となった。
【００７４】
比較品１は，維持力がそれぞれ３セットとも１２Ｎ，把持力が○，操作性が○，寿命が×及び技工操作が×となった。
比較品２は，維持力がそれぞれ３セットとも１０Ｎ，把持力が○，操作性が×，寿命が×及び技工操作が×となった。
比較品３は，維持力が１２Ｎ〜１６Ｎとバラツキがあり，把持力が○，操作性が○，寿命が○及び技工操作が×となった。
【００７５】
上記各性能の試験の結果よりわかることをまとめると以下のようになる。
発明品１〜３は，維持力が安定しており，把持力，操作性，寿命及び技工操作共に○となり，安定した吸着力を発生させることができると共に着脱が容易で，耐久性にも優れており，口内に取り付ける際の技工操作が極めて容易であることがわかる。
これに対して，上記比較品１は寿命が短く，技工操作が困難で，上記比較品２は寿命が短く，操作性及び技工操作が困難であることがわかる。また，上記比較品３は，安定した維持力を発揮すること及び技工操作が困難であることがわかる。
以上の結果より，上記実施形態例１〜６に記載の磁石式架橋義歯１は，上記のすべての性能について優れていることがわかる。
【００７６】
【発明の効果】
上述のごとく，本発明によれば，短時間で製作ができると共に安定した吸着力を有し，かつ耐久性に優れる磁石式架橋義歯を提供することができる。
【図面の簡単な説明】
【図１】実施形態例１における，磁石式架橋義歯を示す断面説明図。
【図２】実施形態例１における，磁石式架橋義歯を示す平面説明図。
【図３】実施形態例１における，磁石装置及びキーパーを示す断面説明図。
【図４】実施形態例１における，磁石装置をキーパーに吸着した状態を示す断面説明図。
【図５】実施形態例１における，（ａ）歯根における歯髄を取り除いた状態，（ｂ）キーパーを鋳接した根面板を，歯髄を取り除いた歯根に固定した状態を示す断面説明図。
【図６】実施形態例１における，（ａ）歯冠及び連結歯からなる義歯部本体の挿入凹部に接着性のレジンを塗布した状態，（ｂ）キーパーに磁石装置を吸着させた状態を示す断面説明図。
【図７】実施形態例２における，（ａ）磁石式架橋義歯を示す図で，（ａ）平面図，（ｂ）断面説明図。
【図８】実施形態例３における，磁石式架橋義歯を示す平面図。
【図９】実施形態例４における，磁石式架橋義歯を示す断面説明図。
【図１０】実施形態例５における，磁石式架橋義歯を示す断面説明図。
【図１１】従来例における，コーヌス冠構造の架橋義歯を示す断面説明図。
【図１２】従来例における，テレスコープ冠構造の架橋義歯を示す断面説明図。
【図１３】従来例における，磁石式の架橋義歯を示す断面説明図。
【符号の説明】
１．．．磁石式架橋義歯，
２．．．義歯部，
２５．．．歯冠，
２６．．．連結歯，
３．．．支台，
３１．．．キーパー，
３１１．．．凸部，
３１２．．．被吸着面，
３２．．．根面板，
４．．．磁石装置，
４０．．．磁石構造体，
４１．．．永久磁石，
４３．．．非磁性ガイドリング部，
４４１．．．吸着面，
４７．．．凹部，
５．．．口内，
５１．．．歯根，
【図１】
0004193368.tif 000002
【図２】
0004193368.tif 000003
【図３】
0004193368.tif 000004
【図４】
0004193368.tif 000005
【図５】
0004193368.tif 000006
【図６】
0004193368.tif 000007
【図７】
0004193368.tif 000008
【図８】
0004193368.tif 000009
【図９】
0004193368.tif 000010
【図１０】
0004193368.tif 000011
【図１１】
0004193368.tif 000012
【図１２】
0004193368.tif 000013
【図１３】
0004193368.tif 000014